(57)【要約】【課題】録画予約時の操作に起因する録画の失敗の可能性を減らす録画装置を提供する。【解決手段】  ＤＶＤレコーダ１は、受信部２、符号化部３、記録／読取部４、信号処理部５、出力部６、操作部８、制御部９を備える。制御部９は、処理９１〜９２、９５を行う。録画処理９２には、あいまい録画処理９２１を含む。処理９２１では、録画予約処理９１が未完に終わった場合でも、ユーザによって、少なくとも録画予定時刻、録画予定の放送番組のチャンネルが設定された場合には、録画処理９２により、その録画予定時刻にそのチャンネルを選局して録画を開始する。このとき、初期設定処理９５で予め設定しておいたデフォルトの録画予約設定を用いる。録画するファイルは、バックアップフォルダに記録する。  【選択図】図１
2009177442.tif 000002
【特許請求の範囲】
【請求項１】
放送を受信する受信部と、
前記受信部が受信した放送の録画を行う録画部と、
前記録画部が録画を開始するための各種の設定を予め受け付けて、当該設定を行う録画予約手段と、を備え、前記録画部が、前記録画予約手段によりなされた設定に基づいて録画を行う録画装置において、
前記録画予約手段が、前記設定として、少なくともチャンネル、および、録画開始予定時刻または録画時間帯の設定がなされたが、録画予約の設定が完了されなかった場合には、前記録画部は、前記録画予約手段でなされた設定、および予め定められた初期設定に基づいて前記録画を行う、あいまい録画処理を実行する録画装置。
【請求項２】
前記録画部は、前記あいまい録画処理に用いる記録媒体内の使用容量を予め定めた範囲内に収まるよう、当該処理で録画したファイルを削除し、管理する請求項１に記載の録画装置。
【請求項３】
前記録画部が録画した録画ファイルの一覧表示を出力するファイル一覧表示手段を備え、
前記ファイル一覧表示手段は、特定の操作を受け付けた場合に限り、前記あいまい録画処理で録画した録画ファイルを表示する請求項１または請求項２のいずれかに記載の録画装置。
【発明の詳細な説明】
【技術分野】
【０００１】
本発明は、放送を録画する録画装置に関する。
【背景技術】
【０００２】
従来、テレビ放送を録画する装置、例えばＤＶＤレコーダ、ハードディスクレコーダ、ビデオテープレコーダが実用化されている。これらの装置では、予め、録画予定時刻、チャンネル等の選択を受け付ける録画予約のユーザインターフェースを備え、予約した時刻に自動的に録画を開始する。これによれば、録画する時刻に録画装置を操作する必要がない。
【０００３】
また、特許文献１には、より確実に録画予約の設定をできるようにする番組記録装置が開示されている。
【特許文献１】特開２００３−３３３４７９公報
【発明の開示】
【発明が解決しようとする課題】
【０００４】
しかしながら、従来の録画装置では、録画予約において、ユーザが録画時刻、チャンネルを設定したにもかかわらず、録画予約に失敗する虞があった。例えば、ユーザがこれらを設定した後、「戻る」キーを押すと、録画予約が設定されない。さらにこのキーを連打するとメニュー画面に戻ってしまう。その結果、ユーザは録画予約できたと思っていても、録画予定時刻に録画されない虞があった。
【０００５】
そこで、本発明は、録画予約時の操作に起因する録画の失敗の可能性を減らす録画装置を提供することを目的とする。
【課題を解決するための手段】
【０００６】
上記課題を解決するために、以下の構成を備えることができる。
【０００７】
（１）  放送を受信する受信部と、
前記受信部が受信した放送の録画を行う録画部と、
前記録画部が録画を開始するための各種の設定を予め受け付けて、当該設定を行う録画予約手段と、を備え、前記録画部が、前記録画予約手段によりなされた設定に基づいて録画を行う録画装置において、
前記録画予約手段が、前記設定として、少なくともチャンネル、および、録画開始予定時刻または録画時間帯の設定がなされたが、録画予約の設定が完了されなかった場合には、前記録画部は、前記録画予約手段でなされた設定、および予め定められた初期設定に基づいて前記録画を行う、あいまい録画処理を実行する。
【０００８】
この構成では、録画予約の設定のうちチャンネル等の所定の設定がされた場合には、たとえ、録画予約の設定から誤って抜け出したり、キャンセルしたりして、その設定が完了しない場合でも録画を行う。したがって、録画予約手段でチャンネル、および、録画開始予定時刻（または録画予定時間帯の設定）以外の設定がされなかったとしても、録画の失敗の可能性を減らすことができる。
【０００９】
（２）  前記録画部は、前記あいまい録画処理に用いる記録媒体内の使用容量を予め定めた範囲内に収まるよう、当該処理で録画したファイルを削除し、管理する。
【００１０】
（３）  前記録画部が録画した録画ファイルの一覧表示を出力するファイル一覧表示手段を備え、
前記ファイル一覧表示手段は、特定の操作を受け付けた場合に限り、前記あいまい録画処理で録画した録画ファイルを表示する。
【００１１】
この構成では、普段の操作では、表示されないバックアップ領域またはバックアップフォルダに記録するので、ユーザが意図せず録画されたファイルにより、録画装置内のファイルの整理が煩雑となるような事態を回避できる。また、特定の操作を受け付ければ、録画ファイルを表示するので、ユーザは、録画に失敗した場合でも、バックアップ領域等を参照できる。
【発明の効果】
【００１２】
本発明によれば、録画予約の設定のうちチャンネル等の所定の設定がされた場合には、録画を行うので、録画の失敗の可能性を減らすことができる。
【発明を実施するための最良の形態】
【００１３】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている映像ファイルの再生を行う。
【００１４】
ＤＶＤレコーダ１は、受信部２、符号化部３、記録／読取部４、信号処理部５、出力部６、操作部８、制御部９を備える。
【００１５】
受信部２は、アンテナ１００を介して、放送信号を受信して、映像信号、音声信号、文字情報を抽出する。受信部２は、デジタル放送の映像信号を出力するために、デジタル放送選局部、地上デジタルモジュール、デコーダを備える。また、受信部２は、アナログ放送の映像信号を出力するために、アナログ放送選局部、映像受信部、色信号再生部を備える。また、受信部２内部を制御する受信制御部を備える。
【００１６】
デジタル放送選局部は、チューナパック、地上デジタルモジュール、ＯＦＤＭ復調回路、誤り訂正回路を備え、所定の物理チャンネルの周波数帯域を増幅し、ＴＳ（Transport Stream）を出力する。チューナパックは、ＩＦフィルタ、ＩＦアンプ等を備えている。受信制御部は、初期設定処理９５により、チャンネルテーブルを内部のフラッシュメモリ（不図示）に記憶している。
【００１７】
ＩＦフィルタ（intermediatefrequency）は受信制御部から指示された所定の物理チャンネルの信号を通す。ＩＦアンプは、この信号を増幅する。これにより、デジタル放送選局部は、受信制御部により指定されたチャンネルの放送信号を抽出する。また、ＯＦＤＭ復調回路は、入力された放送信号をデジタルデータであるＴＳ（トランスポートストリーム）にＯＦＤＭ復調（Orthogonal Frequency Division Multiplexing）し、誤り訂正回路に出力する。誤り訂正回路はＴＳの誤り情報を訂正して、地上デジタルモジュールに出力する。
【００１８】
地上デジタルモジュールは、マルチプレクサ、バッファメモリを備えている。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。これらのパケットは、ＭＰＥＧ形式のデジタル映像信号で構成されている。デコーダは、モジュール内部のバッファメモリから映像信号のパケットを取り出して、映像信号をデコードする。
【００１９】
アナログ放送選局部は、中間周波数を抽出するフィルタと、この中間周波数帯域を増幅する中間周波数増幅部を備え、所定の物理チャンネルの帯域の放送信号を増幅する。映像受信部は、映像帯域の周波数を増幅し、映像信号を抽出する。色信号再生部は、カラー映像信号から色信号を取り出し、ＲＧＢの３原色信号を生成する。同期検出回路は、カラー映像信号から水平同期信号、垂直同期信号を取り出す。
【００２０】
符号化部３は、受信部２で入力した映像信号および音声信号をエンコードする。また、Ａ/Ｄ変換器を備え、入力した映像信号がアナログ形式であれば、エンコードする前に予めＡ/Ｄ変換を行う。符号化部３は、このエンコードしたデータを記録／読取部４に出力する。
【００２１】
記録／読取部４は、光ディスクドライブ４１、ハードディスク４２（ＨＤ４２と略す）と、ハードディスクドライブ４３（ＨＤＤ４３と略す）を備える。ドライブ４１は、記録媒体の１種であるＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、ドライブ４１は、ＤＶＤ１０の読出・記録をする。ＨＤ４２は、記録媒体の１種である。ＨＤＤ４３は、データをＨＤ４２に記録し、記録したデータを読み出す。このような構成により、記録／読取部４は、符号化部３でエンコードされた映像信号、音声信号をＤＶＤ１０またはＨＤ４２に記録する。
【００２２】
以下では、映像信号、音声信号の記録媒体への記録を録画という。
【００２３】
信号処理部５は、８／１６復調部、ＭＰＥＧデコーダ、ＯＳＤ合成部を備えている。８／１６復調部は、記録／読取部４が読み取ったＲＦ信号について８／１６復調等を行い、誤り訂正を行って映像データと音声データを抽出する。ＭＰＥＧデコーダは、映像データと音声データを伸張する。
【００２４】
ＯＳＤ合成部は、制御部９が発行するコマンドに基づいて文字、キャラクタ等のＯＳＤ（On-Screen Display）を合成する。ＯＳＤ合成部は、内部に種々の画像データを記憶している。例えば、種々の文字列を表示するための文字、図形、初期設定処理９５で表示するユーザインターフェースの画像などを記憶している。これらの枠画像と、文字、図形を合成してＯＳＤを出力する。ＭＰＥＧデコーダから映像信号が出力されている場合には、ＯＳＤ合成部は、この映像信号とＯＳＤを合成し、出力部６に出力する。場合によっては、ＯＳＤ合成部は、映像信号の出力を禁止して、ＯＳＤのみを出力してもよい。
【００２５】
出力部６は、Ｄ/Ａ変換器等を備え、信号処理部５で処理された映像信号、音声信号をＤ/Ａ変換し、表示器１１、スピーカ１２に出力する。
【００２６】
操作部８は、装置本体に対する操作を指示する入力を受け付ける。操作部８は、装置本体に設けられた操作キーや、リモコン装置（不図示）から送信されてきた装置本体に対する制御コードを受信するリモコン受信部を有している。操作部８は、ユーザにより操作された操作キーに応じた入力を受け付け、これらのキーに応じたコードを制御部９に伝達する。また、リモコン受信部で受信した制御コードを制御部９に伝達する。操作部８のリモコンは、操作子として、例えば、数字キー、録画予約キー、録画キー、カーソルキー、決定キーを備える。レコーダ１は、数字キーによりチャンネル、数字入力を受け付け、カーソルキーにより各種設定の選択を受け付ける。決定キーが押されると、レコーダ１は、選択された設定をフラッシュメモリ９９に記録する。また、レコーダ１は、録画予約キー、録画キーにより、録画予約、録画の指示を受け付ける。
【００２７】
制御部９は、マイコンまたはこれを含むシステムＩＣで構成する。制御部９は、ＲＯＭ（フラッシュメモリでも良い。）、ＣＰＵ、ＲＡＭを備える。制御部９は、操作部８で受け付けた入力に基づいて、２〜８の各部の動作を制御する。また、制御部９のＲＯＭは、録画予約処理９１、録画処理９２、初期設定処理９５を実行するためのサブルーチンを記憶している。また、フラッシュメモリ９９が制御部９の外部に接続されており、メモリ９９には、ＤＶＤレコーダ１の状態や、各種初期設定の情報が記録されている。
【００２８】
録画予約処理９１では、制御部９は、録画予約の項目の選択を受け付ける。制御部９は、予め所定のキー操作を受け付けた場合に、処理９１を実行する。処理９１では、ユーザから録画予定時間Ｔ［Ｈ］、録画予定時刻、曜日または日付、放送のチャンネル番号録画する記録媒体の指定を受け付ける。また、画質を指定するための録画モードの選択を受け付けてもよい。
【００２９】
録画処理９２では、制御部９は、録画の開始、停止等の制御を行う。処理９２は、例えば、操作部８がリモコンから録画キーの操作を受けた場合に実行される。また、録画処理９２では、録画予約処理９１で設定した録画予約のデータに基づいて、放送番組の録画を開始する。
【００３０】
あいまい録画処理９２１は、録画予約処理９１が開始され、チャンネル、開始時刻または時間帯が設定されたが、録画予約設定が完了しなかった場合に、予め定めた録画設定で録画処理９２を行う処理である。これにより、ユーザが誤って録画設定を最後まで行わなかった場合でも、録画に失敗する可能性を減少させることが出来る。あいまい録画処理９２１では、制御部９は、録画の指示を行い、記録／読取部４が録画データをバックアップフォルダに記録する。
【００３１】
初期設定処理９５は、ＤＶＤレコーダ１の各種設定を受け付ける処理である。この処理には、録画予約設定が含まれる。この設定では、あいまい録画処理９２１で録画する際の録画設定を予め受け付ける。
【００３２】
ＤＶＤレコーダ１には、表示器１０１とスピーカ１０２が接続されている。表示器１０１は、出力部６から出力された映像信号に基づいて映像を表示する。例えば、液晶モニタ、プラズマモニタ、ＥＬモニタ、ブラウン管、プロジェクタなどで構成する。スピーカ１０２は、出力部６から出力された音声信号を増幅して音声を放出する。
【００３３】
次に、図２の録画予約時に表示する画面の例を用いて、録画予約処理９１について説明する。図２（Ａ）は、電子番組表６１を表わしている。電子番組表６１は、放送番組をチャンネルと時刻でマトリクス状に並べたものである。受信部２は、電子番組表のデータを受信し、ＯＳＤ合成部は、電子番組表６１を表示器１０１に出力する。電子番組表６１を表示している状態で、カーソルキーが操作されると、番組を選択していることを示すハイライト６２が移動する。これにより、ユーザは、録画する番組を選択する。ユーザがこれを選択すると、制御部９は、フラッシュメモリ９９に録画予定の放送番組のチャンネル、開始時刻、終了時刻を記録する。
【００３４】
図２（Ｂ）の画面６３は、電子番組表から録画する番組を選択した場合に表示される画面の例である。録画を開始するためには、ユーザは、図２（Ａ）で選択した番組のチャンネル、開始時刻、終了時刻のみならず、録画する際の画質（ビットレート）、音声、録画を周期的に行うか否か、記録媒体などを設定する必要がある。そこで、ＯＳＤ合成部は、録画予約する番組と、その番組についての各種の録画設定をマトリクス状にして表示器１０１に表示する。ユーザが、これらの録画予約に必要な事項を設定した上で、録画予約６４にカーソルを移動させ、決定キーを押すと、制御部９は、録画予約の設定を行う。具体的には、フラッシュメモリ９９に録画予約の設定を記述したデータを記録する。なお、ここでは、図２（Ｂ）に示すように、複数の録画予約の設定を受け付けてもよい。また、録画予約設定５４が押されたとき、図３（Ｂ）のように、ユーザによる設定が未完成の場合には、さらに、設定を完成するよう促すＯＳＤを表示器１０１に出力しても良い。
【００３５】
ユーザが録画予約の設定を間違えた場合には、戻る６５にカーソルを移動させて、決定キーを押すと、ＯＳＤ合成部は、図２（Ａ）の画面６１に戻す。さらに、画面６１にも戻る６５と同様に、「戻る」ためのガイドが用意されている。ユーザは、これを用いて録画予約処理を抜け出す。これにより、ＤＶＤレコーダ１のメイン操作メニューに戻る。この場合には、録画予約は完了せず、設定されない。この場合でも、ユーザによりチャンネルおよび時刻が設定されていた場合には、あいまい録画処理９２１のために、そのチャンネルおよび時刻をフラッシュメモリ９９に記録する。
【００３６】
例えば、図２（Ｂ）の下の２欄のように、画質、音声、記録先が設定されていない状態で、戻る６５が押され、録画予約処理９１から抜け出したときは、少なくとも、日付、開始時刻、終了時刻、チャンネル（ＣＨ）が設定されている。この場合、この情報をメモリ９９に記録する。また、図２（Ｂ）の最下欄には、ユーザにより、日付が「毎火曜日」、画質がＥＰに設定されているので、この情報も記録する。あいまい録画処理９２１では、これらの情報に基づいて、録画処理を行い、録画データをバックアップフォルダに記録する。
【００３７】
なお、ユーザにより、録画予約設定６４にカーソルの移動がなされ、決定ボタンが押されると、録画予約の設定が完了する。これは、本発明の録画予約が「完了」することに相当する。また、録画予約設定６４がされずに、録画予約の設定から抜け出したことは、本発明の「録画予約が完了せず」に相当する。
【００３８】
また、図２の説明では、図２（Ａ）に示すＥＰＧを用いて録画するチャンネル、時刻を設定する方法を示したが、ＥＰＧを表示せず、いきなり、図２（Ｂ）の画面を表示し、チャンネル、開始時刻、終了時刻、その他の設定を受け付けても良い。ただし、ＥＰＧから番組の選択を受け付ければ、ユーザは番組を選択する操作をするだけで、容易にチャンネル、開始時刻、終了時刻をＤＶＤレコーダ１に入力できる。
【００３９】
次に、図３を用いて、初期設定処理９５について説明する。図３は、初期設定処理９５における画面の移り変わりを例示している。
【００４０】
初期設定処理９５では、ＤＶＤレコーダ１についての種々の設定を受け付ける。例えば、画面６７のように受信設定、画面設定、音声設定、言語設定、録画予約設定などを受け付ける。受信設定では、チャンネル設定などを受け付ける。ユーザがＤＶＤレコーダ１を購入したときなどに、操作部８から指示を受けて、制御部９が各種の設定を受け付ける処理である。この処理では、ＧＵＩにより、地域情報の入力を受け付けて、自動的にチャンネル設定を行う。チャンネル設定時には、制御部９は、仮想チャンネルと物理チャンネルを対照させたチャンネルテーブルを受信部２に出力する。受信部２の受信制御部は、このテーブルを内部のフラッシュメモリに記録する。
【００４１】
画面設定では、画面のアスペクト比、輝度、コントラストの設定を受け付ける。音声設定では、ステレオ、副音声などの設定を受け付ける。カーソルキーで、上下にハイライト表示６７１が移動する。ハイライト表示６７１がある部分が、画面上で選択されている項目である（画面６８、６８１〜６８３も同様にハイライトを表示するが、図示を省略する。）。ハイライト表示６７１が録画予約設定６４の位置にある状態で決定キーが押されると、ＯＳＤ合成部は、画面６７を画面６８に切り換える。
録画予約設定では、デフォルトアスペクト比、デフォルト音声設定、デフォルト録画設定を含む各種設定を受け付ける。ユーザがデフォルトアスペクト比を選択すると、ＯＳＤ合成部は、画面６８１を表示し、アスペクト比４：３、１６：９の設定を受け付ける。ユーザがデフォルト音声設定を選択すると、ＯＳＤ合成部は、画面６８２を表示し、ＭＯＮＯ、ＳＴＥＲＥＯ、ＳＵＲＲＯＵＮＤの設定を受け付ける。ユーザがデフォルト録画モードを選択すると、ＯＳＤ合成部は、画面６８３を表示し、デフォルト録画モード（ＳＰモード、ＬＰモード、ＥＰモード）の設定を受け付ける。
これらのデフォルト設定がされていると、あいまい録画処理９２１を実行する場合に、これらの設定を用いて録画を行う。なお、録画予約の画面６３（図２（Ｂ））にも、デフォルトとして、これらの設定が表示されるようにしてもよい。
【００４２】
次に図４のフロー図を用いて、装置１の録画処理９２について説明する。図４は、録画予約処理９１を表わすものである。ただし、図中、点線で示したステップは、録画予約処理９１を実行した後の録画処理９２を表わしている。
【００４３】
ＳＴ１：操作部８の録画予約キーが押されるまで待機する（ＳＴ１のＮＯ）。録画予約キーが押されると、ＳＴ２に移動する。
ＳＴ２：録画予約のモード選択を受け付け、「１．電子番組表（ＥＰＧ）を用いて録画予約、  ２．電子番組表（ＥＰＧ）を用いないで録画予約」などと表示し、前者が選択されたかどうか判断する。電子番組表を用いること選択がされた場合には（ＳＴ２のＹＥＳ）、ＳＴ２１〜ＳＴ２３のステップを行う。「電子番組表を用いないで録画予約」が選択された場合には（ＳＴ２のＮＯ）、ＳＴ３１に移動する。
【００４４】
ＳＴ２１：ＯＳＤ合成部は、電子番組表（ＥＰＧ）を表示する。例えば、図２（Ａ）のように時刻、チャンネルのマトリクスでＥＰＧを表示する。
【００４５】
ＳＴ２２：ユーザが録画する番組の選択を、リモコンのカーソルキー、決定キーで受け付け、これを受け付けた場合には、その番組のチャンネル、開示時刻、終了時刻をフラッシュメモリ９９に記録する。
ＳＴ２３：ＯＳＤ合成部は、図２（Ｂ）のような録画予約する項目に対し、各種の設定を表示する。このとき、ＯＳＤ合成部は、ＥＰＧで入力したチャンネル、時刻を表示する。
【００４６】
ＳＴ３１、ＳＴ３２、ＳＴ４、ＳＴ５、ＳＴ７は、図２（Ｂ）の画面６３を表示して各種録画設定を受け付ける処理である。ＳＴ５、ＳＴ７のいずれかのＹＥＳへ分岐するまで、これらの処理が繰り返される。
【００４７】
ＳＴ３１、ＳＴ３２：ＯＳＤ合成部は、図２（Ｂ）のような録画予約する項目に対し、各種の設定を表示する。そして、レコーダ１は、チャンネル（ＳＴ３１）、開始時刻、終了時刻（ＳＴ３２）の入力を受け付ける。
【００４８】
ＳＴ４：レコーダ１は、録画設定であって、チャンネル、開始時刻、終了時刻以外の設定を受け付ける。
なお、ＳＴ３１、ＳＴ３２、ＳＴ４は、いずれが先でも良いし、同時に受け付けても良い。フローの表示の便宜のため、図４のように記載した。実際は、カーソルがその項目に移動したときに、設定の選択が有効にすればよい。
【００４９】
ＳＴ５：録画予約の決定がされたかどうか判断する。この決定は、録画予約設定（図２（Ｂ））にユーザがカーソル６４を移動させた場合に、決定キーから受け付ける。この決定がされた場合には（ＳＴ５のＹＥＳ）、ＳＴ６１に移動する。
【００５０】
ＳＴ６１：画面６３（図２（Ｂ））で受け付けた録画予約の設定をフラッシュメモリ９９に記憶する。
ＳＴ６２：制御部９は、録画予約で設定した時刻になると、録画処理９２を行う。ここでは、ユーザがメニューから選択、再生、削除、編集等の操作ができるユーザフォルダに記録する。
【００５１】
ＳＴ７：録画予約処理９１のモードから脱出したかどうか判断する。戻る６５（図２（Ｂ））が選択されて、決定キーが押されると、録画予約の設定がされずに、録画予約処理９１のモードから脱出する。この判断が肯定であれば、ＳＴ７１に移動する。この判断が否定であれば、ＳＴ３１に戻る。
【００５２】
ＳＴ７１：画面６３で、少なくともチャンネルおよび開始時刻が設定されているかどうか判断する。この判断が否定であれば、録画するための最小限の情報が不足しているから、図４のフローは終了する。この判断が肯定であれば、ＳＴ８１に移動する。
【００５３】
ＳＴ８１、ＳＴ８２：これらの処理は、あいまい録画処理９２１である。ＳＴ８１では、初期設定処理９５の録画予約設定で設定された、デフォルトの設定をフラッシュメモリ９９から読み出す。ＳＴ８２では、このデフォルトの設定と、画面６３で設定されたチャンネルおよび開始時刻に基づいて、録画を開始する。このとき、ＳＴ６２とは対照的に、ユーザが特定の操作をしない限りメニューから選択できない、バックアップフォルダに記録する。なお、特定の操作（例えば、特定のボタン、特定のメニューからの選択）をした場合には、バックアップフォルダから、録画データ通常のフォルダへ取り出す操作を受け付ける。
【００５４】
また、ＳＴ８２では、チャンネルおよび開始時刻以外についても設定がされていた場合には、初期設定処理９５で設定されたデフォルト設定でなく、録画予約の設定の方を有効にする。例えば、図２（Ｂ）の最下欄の録画予約では、ユーザにより、画質がＥＰモードに設定されている。したがって、初期設定処理９５で設定された画質のデフォルトがＳＰモードであったとしても、ＥＰモードで録画処理９２を行う。また、最下欄の録画予約については、毎週火曜日に録画処理９２を実行する。
【００５５】
なお、バックアップフォルダは、一定の容量となるように、古い録画ファイルを削除して、整理しても良い。また、バックアップフォルダとする代わりに、所定の領域を確保するようにしても良い。また、このようなバックアップフォルダ等と必ずしも区別しなくても、ユーザの録画操作の失敗をフォローできる。ただし、このように区別したほうが、録画装置内のファイルの整理が煩雑となるような事態を回避できる。
【００５６】
以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。例えば、フラッシュメモリ９９は、制御部９に内蔵していても良い。
【００５７】
本実施形態に用いる記録媒体は、映像信号、音声信号を記録できればよく、光ディスクのほかフラッシュメモリ等の持ち運びできるもののみならず、据付で使用するものでもよい。また、１種類以上の記録媒体を記録・読み出しできればよい。
【００５８】
操作部８について説明したキーの例や操作方法は一例である。キーの名称は、以上で説明したものでなくてもよい。操作部８の役割としては、制御部９に対して、各種の設定をするための操作の指示をすることができればよい。例えば、図２（Ｂ）の録画予約６４、戻る６５は、固有のキーを割り当てても良い。また、画面の移動に伴って、画面６３が表示されているときだけ、特定のキーの入力が、「録画予約」、「戻る」の指示になるようにしてもよい。また、画面上で選択されていることを示すハイライトは一例であり、点滅してもよいし、文字を白抜きで反転表示しても良いし、選択されていることを示すことができればよい。
【００５９】
図２では、開始時刻および終了時刻を設定しているが、開始時刻と、録画する時間を設定しても良い。あいまい録画処理９２１のときに、録画する時間帯を特定できれば良い。また、終了時刻を特定しなくても、開始時刻さえ特定できれば、とりあえず録画を開始することができる。録画予約処理９１で、この開始時刻が設定されていれば、あいまい録画処理９２１を実行しても良い。この開始時刻は、本発明の「開始時刻」に相当する。また、録画予約処理９１で設定されたこのような時間帯は、本発明の「時間帯」に相当する。
【００６０】
図３で示した初期設定は一例である。即ち、他の設定項目を設けても良いし、必ずしも図３で示した設定項目を設ける必要はない。例えばアスペクト比は、受信した放送固有のものを用いても良い。ここでは、チャンネル、開始時刻、終了時刻以外で、録画するのに必要な設定のデフォルトを決定できれば良い。
【００６１】
符号化部３、記録／読取部４、信号処理部５の役割としては、録画予約処理９１で設定した録画予約設定または初期設定処理９５で設定したデフォルトの録画予約設定を反映して、録画することができれば良い。例えば、記録／読取部４は、ランダムアクセスできる記録媒体に記録することを要せず、ビデオテープへの記録する構成を備えていても良い。
【００６２】
受信部２は、アナログ形式、デジタル形式の両方を受信するとしたが、いずれか一方だけを備えているようにしても良い。受信部２は、放送を受信し、その映像信号を出力できれば良い。
【００６３】
図２（Ａ）、図４のＳＴ２１〜ＳＴ２３では、録画するチャンネル、開始時刻、終了時刻を電子番組表で選択を受け付けた。しかし、これらをコード入力、例えばＧコード入力によって行っても良い。電子番組表での選択は、本発明の実施形態としては必須でない。
【００６４】
表示器１０１、スピーカ１０２は、ＤＶＤレコーダ１と物理的に別構成でも、合体していても良い。アンテナ１００の代わりに、有線を介して放送信号を入力しても良い。初期設定処理９５で示した画面の移動は一例であり、他の項目を設定しても良いし、表示の順序を異ならせても良い。
【図面の簡単な説明】
【００６５】
【図１】本実施形態のＤＶＤレコーダの概略構成を表わしている。
【図２】本実施形態の録画予約処理のときに表示する画面を例示している。
【図３】本実施形態の初期設定処理のときに表示する画面の移り変わりを例示している。
【図４】本実施形態の録画予約処理を表わすフロー図である。
【符号の説明】
【００６６】
１−ＤＶＤレコーダ、２−受信部、  ３−符号化部、  ４−記録／読取部、
４１−光ディスクドライブ、  ４２−ハードディスク（ＨＤ）、
４３−ハードディスクドライブ（ＨＤＤ）、
５−信号処理部、  ６−出力部、  ８−操作部、
９−制御部、  ９１−録画予約処理、  ９２−録画処理、
９２１−あいまい録画処理、  ９５−初期設定処理、
９９−フラッシュメモリ、  １０−ＤＶＤ、
１００−アンテナ、  １０１−表示器、  １０２−スピーカ
【図１】
2009177442.tif 000003
【図２】
2009177442.tif 000004
【図３】
2009177442.tif 000005
【図４】
2009177442.tif 000006